(57)【特許請求の範囲】
【請求項１】
箱形の筐体の左右側面と背面に空気吸込口を設け、上面に空気吹出口を設け、前記空気吸込口の内側に熱交換器を配置し、前記空気吹出口の内側に送風ファンを配置し、正面に電装品箱を収容して正面パネルを設けてなる空気調和機の室外機において、前記筐体を構成する正面側左右の支柱のうち、一方の支柱は、正面側の角部から前記電装品箱の厚さの分だけ背面側へ後退して設け、前記電装品箱は、前記一方の支柱側にスライド移動可能に設けたことを特徴とする空気調和機の室外機。
【請求項２】
前記電装品箱は、上部に筐体に吊り下げるための吊下げフックが形成されており、この吊下げフックを筐体に設けられたスライドレール部に吊り下げることでスライド移動可能としたことを特徴とする請求項１記載の空気調和機の室外機。
【請求項３】
前記筐体を構成する正面側左右の支柱のうち、一方の支柱と他方の支柱との間には中桟が設けてあり、前記電装品箱は、背面下部が中桟に沿ってスライド移動するようにしたことを特徴とする請求項１又は２記載の空気調和機の室外機。
【請求項４】
前記電装品箱は収容した状態で筐体にネジ止めして固定し、その上から正面パネルを嵌め込んでなることを特徴とする請求項１乃至３記載の空気調和機の室外機。
【発明の詳細な説明】
【技術分野】
【０００１】
本発明は、ビル等において用いられる大型空気調和機の室外機に関するものであり、特に、両側面及び背面に吸込口を備え、上面に吹出口を備えた筐体内に、前記吹出口に対向させて送風ファンを設け、かつ、前記吸込口に対向させて熱交換器を設けた構造からなる室外機に関するものである。
【背景技術】
【０００２】
空気調和機の室外機の構成要素としては、主に、熱交換器、圧縮機室、電装品箱、送風ファンなどが挙げられるが、これらをどのように構成するかについては、様々なものが提案されてきた。
例えば、特許文献１に記載の室外ユニットは、略直方体形状の筐体内の底面に圧縮機を配置し、この圧縮機の外側で筐体の３側面に対向するように、断面がコ字形状の熱交換器を配置した構成となっている。
また、特許文献２、特許文献３に記載の室外機は、略直方体形状の筐体内の底面に圧縮機を配置し、筐体の２側面に対向するように、断面がＬ字形状の熱交換器を配置した構成となっている。
【０００３】
また、特許文献２、特許文献３に記載の室外機は、電装品箱をスライド可能に保持する構成が採用されており、電装品箱を取り外すことなく点検作業等が行えるようになっている。
【特許文献１】特開２００４−８５１６５号公報
【特許文献２】特開平１０−１２２６０３号公報
【特許文献３】特開平１０−２５９９３２号公報
【発明の開示】
【発明が解決しようとする課題】
【０００４】
室外機においては、出荷時や故障時に電装品箱内部のチェックが必要になる場合がある他、工場からの出荷時や修理の際に、溶接やシール洩れによる冷媒のリークチェックや、センサー類や電磁弁のチェックが必要となる場合がある。よって、熱交換器に接続された冷媒管や電磁弁の取り付けられた個所を外部から観察できるように構成する必要がある。
しかし、最近の大型室外機は、特許文献１に記載の室外機のように、コンパクト化のために両側面と背面には上から下まで熱交換器が配置され、正面側は下部に圧縮機室が設けられ上部には電装品箱が配置されており、かつ、上面には送風ファンが設けられていることから、簡単に内部をチェックできない構成となっている。
【０００５】
また、前記特許文献２、３に記載された室外機における電装品箱のスライド機構は、電装品箱を取り外すことなく点検作業等を行えるメリットがあるものの、このスライド機構をそのまま特許文献１のような大型の室外機に採用しても、冷媒管や電磁弁等の内部部品の取り付けられた個所を外部から観察できないという問題がある。
【０００６】
本発明は、上記問題点に鑑みなされたものであり、全体のコンパクト化を図りつつ、工場からの出荷時や修理の際に、溶接やシール洩れによる冷媒のリークチェックやセンサー類や電磁弁のチェックを簡単に行うことが可能な空気調和機の室外機を提供することを目的とするものである。
【課題を解決するための手段】
【０００７】  本発明の請求項１は、箱形の筐体の左右側面と背面に空気吸込口を設け、上面に空気吹出口を設け、前記空気吸込口の内側に熱交換器を配置し、前記空気吹出口の内側に送風ファンを配置し、正面に電装品箱を収容して正面パネルを設けてなる空気調和機の室外機において、前記筐体を構成する正面側左右の支柱のうち、一方の支柱は、正面側の角部から前記電装品箱の厚さの分だけ背面側へ後退して設け、前記電装品箱は、前記一方の支柱側にスライド移動可能に設けたことを特徴とする空気調和機の室外機である。【０００８】
本発明の請求項２は、請求項１に加えて、前記電装品箱は、上部に筐体に吊り下げるための吊下げフックが形成されており、この吊下げフックを筐体に設けられたスライドレール部に吊り下げることでスライド移動可能としたことを特徴とする空気調和機の室外機である。
【０００９】
本発明の請求項３は、請求項１又は２に加えて、前記筐体を構成する正面側左右の支柱のうち、一方の支柱と他方の支柱との間には中桟が設けてあり、前記電装品箱は、背面下部が中桟に沿ってスライド移動するようにしたことを特徴とする空気調和機の室外機である。
【００１０】
本発明の請求項４は、請求項１乃至３に加えて、前記電装品箱は収容した状態で筐体にネジ止めして固定し、その上から正面パネルを嵌め込んでなることを特徴とする空気調和機の室外機である。
【発明の効果】
【００１１】
請求項１記載の発明によれば、両側面と背面に吸込口１２を設けていることにより電装品箱２０を正面側に設置する必要のある室外機においても、電装品箱２０を側面方向にスライド移動させることで、正面側に室外機１０の内部を観察できる隙間が生まれ、工場からの出荷時に溶接やシール洩れによる冷媒のリークチェックや、修理の際にセンサー類や電磁弁のチェックを行うことが可能となる。
【００１２】
請求項２記載の発明によれば、前記電装品箱は、上部に筐体に吊り下げるための吊下げフックが形成されており、この吊下げフックを筐体に設けられたスライドレール部に吊り下げることでスライド移動可能としたので、省スペースを実現しつつスライド移動を可能にしている。
【００１３】
請求項３記載の発明によれば、前記筐体を構成する正面側左右の支柱のうち、一方の支柱と他方の支柱との間には中桟が設けてあり、前記電装品箱は、背面下部が中桟に沿ってスライド移動するようにしたので、安定したスライド動作が可能となる。
【００１４】
請求項４記載の発明によれば、前記電装品箱は収容した状態で筐体にネジ止めして固定し、その上から正面パネルを嵌め込んでなるようにしたので、使用時に電装品箱が動くことがなく、安定して使用可能となり、また、振動によるノイズの原因となることも防止できる。
【発明を実施するための最良の形態】
【００１５】  本発明による空気調和機の室外機は、箱形の筐体の左右側面と背面に空気吸込口を設け、上面に空気吹出口を設け、前記空気吸込口の内側に熱交換器を配置し、前記空気吹出口の内側に送風ファンを配置し、正面に電装品箱を収容して正面パネルを設けてなる空気調和機の室外機において、前記筐体を構成する正面側左右の支柱のうち、一方の支柱は、正面側の角部から前記電装品箱の厚さの分だけ背面側へ後退して設け、前記電装品箱は、前記一方の支柱側にスライド移動可能に設けたことを特徴とし、前記電装品箱は、上部に筐体に吊り下げるための吊下げフックが形成されており、この吊下げフックを筐体に設けられたスライドレール部に吊り下げることでスライド移動可能としたことを特徴とするものである。
【実施例】
【００１６】
本発明の実施の形態を図面に基づいて説明する。図１及び図２に示すのは、本発明による室外機１０を表した斜視図である。図１及び図２に示すように、本発明の室外機１０は、略直方体形状の筐体１１からなり、両側面と背面に吸込口１２が設けられ、上面には送風ファン１３が設けられており、正面は上側カバー１４と下側カバー１５とで覆われている。筐体１１の内部には、前記吸込口１２に対向させて上から下まで熱交換器１６が配置され、前記下側カバー１５の内側で熱交換器１６の内側には圧縮機等を設置した圧縮機室１７が設けられている。筐体１１の正面及び側面の下側には、冷媒管等の配管を接続するための配管用孔１８が設けられている。
【００１７】
また、正面に設けられた前記上側カバー１４の内側には、電装品１９を収容した電装品箱２０が設けられている。この電装品箱２０は、側面方向に向かってスライド移動する構造となっており、この点が本発明の特徴である。
【００１８】  図６に示すのは、本発明の室外機１０の枠組みを表した斜視図である。この図６に示すように、本発明の室外機１０は、底板２１の上に４つの支柱２２〜２５が設けられ、上面は回り縁２６が設けられた構造となっている。このうち、正面から見て一方の角部分に設けられた支柱２２は、概略４５°の角度をもって形成されたテーパー面となっており、上から下まで吸込窓２７が設けられている。また、正面から見て他方の角部分は、電装品箱２０をスライド移動させるためのスペースが必要であるため、図６及び図８に示すように、支柱２３を電装品箱２０の厚さ分だけ正面側の角部分から背面側に逃がした構成となっている。この支柱２３と支柱２２の間には、中桟３４が設けられており、この中桟３４に電装品箱２０の背面が接してスライドする構成となっている。【００１９】
図７（ａ）に示すのは、本発明の室外機１０の内部に設けられる熱交換器１６の構成を表した斜視図である。熱交換器１６は多数のフィン及びチューブ（冷媒管）で構成されており、本実施例の場合、高さ方向に高い構成であるため、２つの熱交換器１６ａ、１６ｂを仕切板２８を介して重ね合わせて設置している。
この熱交換器１６は、図７（ｂ）に示すように、筐体１１の両側面及び背面に設けられた吸込口１２に対向するように横断面が概略コの字状をしており、また、概略４５°の角度をもったテーパー面として形成された支柱２２部分に対向する部分は、支柱２２と同一角度となるように屈曲させて構成されている。これにより、コンパクト化を図りながら熱交換効率の向上を同時に実現することを可能としている。
【００２０】  図８に示すのは、以上のように構成した場合の本発明の室外機１０の横断面図である。この図８に示すように、正面の上側カバー１４の内側にスライド可能な電装品箱２０が設置され、この電装品箱２０を左側にスライドさせた場合に邪魔にならないように支柱２３が電装品箱２０の厚さ分だけ正面側の角部分から背面側に逃がして設けられている。また、正面から見て一方の角部分に設けられた支柱２２は、概略４５°の角度をもって形成されたテーパー面となっており、この支柱２２部分に対向する熱交換器１６の一端部分は、支柱２２と同一角度となるように屈曲させて構成されているのが分かる。  この図８から分かるように、熱交換器１６に流入する空気は、必ず吸込口１２から流入して熱交換器１６を経て内部に入っており、他の流入経路からは空気が入らないように構成しているため、熱交換効率の向上に繋がる。【００２１】
次に、本発明の特徴である電装品箱２０のスライド構造について、図面を用いて詳細に説明する。図３に示すのは、本発明による室外機１０における電装品箱２０の吊り下げ構造を表した斜視図である。この図３に示すように、電装品箱２０の内部には様々な電装品１９が収容され、この状態で上蓋２９がネジ止めによって固定される。この電装品箱２０の上部には垂直上方に突出した平板部３０が形成されており、この平板部３０の端部のやや内側部分には、平板部３０に対して直角の方向に折り曲がり、かつ先端が下方に屈曲した吊下げフック３１が形成されている。
【００２２】
他方、図３及び図４（ａ）に示すように、電装品箱２０が吊り下げられる筐体１１側には、前記吊下げフック３１を挿し込むための窓状のスライドレール部３２が形成されている。このスライドレール部３２に対して、図４（ｂ）に示すように、前記吊下げフック３１を挿し込んで吊り下げた状態で、電装品箱２０は筐体１１内に収容され、前記平板部３０及び筐体１１に設けられたネジ穴に対してネジ止めすることで固定される。
【００２３】
そして、工場からの出荷時に溶接やシール洩れによる冷媒のリークチェックや、修理の際にセンサー類や電磁弁のチェックを行う場合には、ネジを外した上で、電装品箱２０を左方向にスライド移動させることで、図１に示すように、正面から室外機１０の内部を観察できる隙間が生じ、前記チェック作業を行うことが可能となる。このスライド移動の際、電装品箱２０が必要以上にスライドされて不安定となることを防ぐために、スライドレール部３２の一部にストッパ３３が形成されている。
【００２４】
なお、電装品箱２０の背面下部が中桟３４に接した状態でスライド移動するようにしているが、電装品箱２０を吊下げフック３１によってのみ支える構成とすると、吊下げフック３１にのみ荷重がかかってしまので、電装品箱２０を吊下げフック３１に吊り上げた状態において、電装品箱２０の背面下部の一部分が中桟３４に設けた溝に嵌った状態でスライド移動するようにすることで、荷重を中桟３４に分散するようにしてもよい。また、電装品箱２０の下面が乗って荷重を軽減するスライド補助板（図示省略）を、圧縮機室１７の上側に設けるようにしてもよい。
【００２５】
以上のような構成により、両側面と背面に吸込口１２を設けていることにより電装品箱２０を正面側に設置する必要のある室外機においても、電装品箱２０を側面方向にスライド移動させることで、正面側に室外機１０の内部を観察できる隙間が生まれ、工場からの出荷時に溶接やシール洩れによる冷媒のリークチェックや、修理の際にセンサー類や電磁弁のチェックを行うことが可能となる。
【００２６】
また、概略４５°の角度のテーパー面として支柱２２を形成することにより、複数台の室外機を並べて設置する場合にメリットがある。図５に示すのは、２つの室外機１０ａ、１０ｂを同一方向に正面を向けて並べて設置した様子を表した上面図である。この図５に示すように、右側の室外機１０ｂの電装品箱２０をスライドさせて内部点検を行うときに、左側の室外機１０ａの角部分の支柱２２がテーパー面となっていることにより、スライドさせた電装品箱２０が接触することがない。このように、２つの室外機１０ａ、１０ｂを並べて設置する場合に、これらの間の距離を短くしても電装品箱２０のスライドに影響が出ないという効果がある。
【図面の簡単な説明】
【００２７】
【図１】本発明による室外機１０を表した斜視図である。
【図２】本発明による室外機１０の一部を切り欠いた状態を表した斜視図である。
【図３】本発明による室外機１０における電装品箱２０の吊り下げ構造を表した斜視図である。
【図４】（ａ）は、電装品箱２０の吊り下げ構造を表した正面図であり、（ｂ）は、Ａ−Ａ’線での断面図である。
【図５】本発明による室外機１０を複数設置した場合を表した上面図である。
【図６】本発明の室外機１０の枠組みを表した斜視図である。
【図７】本発明の室外機１０の内部に設けられる熱交換器１６の構成を表した斜視図である。
【図８】本発明による室外機１０の横断面図である。
【符号の説明】
【００２８】
１０…室外機、１１…筐体、１２…吸込口、１３…送風ファン、１４…上側カバー、１５…下側カバー、１６…熱交換器、１７…圧縮機室、１８…配管用孔、１９…電装品、２０…電装品箱、２１…底板、２２〜２５…支柱、２６…回り縁、２７…吸込窓、２８…仕切板、２９…上蓋、３０…平板部、３１…吊下げフック、３２…スライドレール部、３３…ストッパ、３４…中桟。
【図１】
0004918901.tif 000002
【図２】
0004918901.tif 000003
【図３】
0004918901.tif 000004
【図４】
0004918901.tif 000005
【図５】
0004918901.tif 000006
【図７】
0004918901.tif 000007
【図８】
0004918901.tif 000008
【図６】
0004918901.tif 000009